(57)【要約】【課題】ファイル転送エラーを抑圧するファイル共有システムを提供する。【解決手段】受信処理後データのファイルの存在を確認し、当該ファイルのファイル情報を共有ファイル情報に反映させる監視部を含む第１のサーバと、共有ファイル情報を保持する共有ファイル情報保持部と、共有ファイル情報保持部から読み込みを行う情報読み込み部と、共有ファイル情報保持部に書き込みを行う情報書き込み部と、ＥＲＰバッチ名を取得して、当該ＥＲＰバッチを起動し、ＥＲＰバッチ結果にもとづいて、共有ファイル情報を更新する実行部とを含む第２のサーバと、から構成されるファイル共有システムにより、解決できる。【選択図】図２
2014219926.tif 000002
【特許請求の範囲】
【請求項１】
受信処理後データのファイルの存在を確認し、当該ファイルのファイル情報を共有ファイル情報に反映させる監視部を含む第１のサーバと、
前記共有ファイル情報を保持する共有ファイル情報保持部と、前記共有ファイル情報保持部から読み込みを行う情報読込み部と、前記共有ファイル情報保持部に書き込みを行う情報書込み部と、ＥＲＰバッチ名を取得して、当該ＥＲＰバッチを起動し、ＥＲＰバッチ結果にもとづいて、前記共有ファイル情報を更新する実行部とを含む第２のサーバと、
から構成されるファイル共有システム。
【請求項２】
請求項１に記載のファイル共有システムであって、
前記第２のサーバは、さらに、基本設定を保持するシステム設定情報保持部と、前記第１のサーバのＪＯＢの情報とＪＯＢ結果とを保持する処理制御情報保持部と、を含むファイル共有システム。
【請求項３】
請求項２に記載のファイル共有システムであって、
前記システム設定情報保持部の保持情報に基づいて、前記実行部は、前記共有ファイル情報保持部からファイル名を取得するファイル共有システム。
【請求項４】
請求項２に記載のファイル共有システムであって、
前記システム設定情報保持部は、システム設定項目と設定値との組から構成されていることを特徴とするファイル共有システム。
【請求項５】
請求項２に記載のファイル共有システムであって、
前記処理制御情報保持部は、データ項目名と複数のＪＯＢ情報との組から構成されていることを特徴とするファイル共有システム。
【請求項６】
請求項１に記載のファイル共有システムであって、
前記共有ファイル情報保持部は、データ項目名と処理ステップごとのデータ値との組から構成されていることを特徴とするファイル共有システム。
【発明の詳細な説明】
【技術分野】
【０００１】
本発明は、ファイル共有システムに係り、特にＥＤＩ（Electronic Data Interchange：電子データ交換）システムとＥＲＰ（Enterprise Resource Planning：企業資源計画）システムと間のファイル共有システムに関する。
【背景技術】
【０００２】
企業間でデータを交換するＥＤＩシステムのデータフォーマットは、企業間でデータを交換するために規格化されたデータフォーマットである。一方、ＥＲＰシステムのデータフォーマットは、個々の企業で従来から使用されてきたデータフォーマットである。このため、ＥＤＩシステムのデータフォーマットは、一般的にＥＲＰシステムのデータフォーマットとは異なる。したがって、ＥＤＩシステムからＥＲＰシステムへ、またはＥＲＰシステムからＥＤＩシステムへ、データを送信する際にはデータフォーマットを変換する必要がある。すなわち、ＥＤＩシステムとＥＲＰシステムは、協調動作する必要がある。
【０００３】
このような異なるコンピュータオペレーティングシステム（ＯＳ）間で、データを送受する場合、共通の基盤となるＦＴＰに代表されるファイル転送のプロトコルのソフトで実施されていた。
【０００４】
しかし、ＦＴＰには確実性／安定性の脆弱な面がある。これを補うために、ファイル転送の専用パッケージソフトが出現した。専用パッケージソフトの出現以降、サーバ間のデータ授受は、ファイル転送パッケージによる処理が主流になっていた。
【０００５】
昨今、サーバのＯＳは、デファクトスタンダード化されている。この結果、同一のＯＳで複数のアプリケーションが複数のサーバで稼動するのが主流となり、他のサーバ上のファイルにアクセスできるようになった。しかし、現在でも、ファイル転送処理は、そのまま継続されている。
【０００６】
特許文献１は、ＥＤＩ−ＥＲＰ連携システムにおけるシステム運用担当者の負担を軽減するために、ＥＤＩシステムの送信処理および受信処理の少なくとも一方の処理で発生したエラーを、ＥＲＰシステムに通知する技術を開示している。この技術によれば、処理が正常に終了したかどうかを担当者が常時監視する必要がなく、負担が軽減される。また、エラーが通知された後には、ＥＤＩシステム１における送信処理の状況、受信処理の状況、稼動記録および処理データをＥＲＰシステム２から照会できる。また、ＥＲＰシステム２から変換マスタファイル５の修正が行えるので、復旧が容易かつ迅速に行える。
【先行技術文献】
【特許文献】
【０００７】
【特許文献１】特開２００３−２９６１５９号公報
【発明の概要】
【発明が解決しようとする課題】
【０００８】
特許文献１の技術に於いて、ＥＲＰパッケージで業務システムを構築する場合、ＥＤＩに代表される外部とのインターフェース処理が必要である。この際、ＥＲＰパッケージは、インターフェース対象のファイルをＥＤＩシステムにファイル転送する。しかし、ファイル転送には、転送エラーが付きものである。
本発明の目的は、ファイル転送エラーを抑圧するファイル共有システムを提供することにある。
【課題を解決するための手段】
【０００９】
上述した課題は、受信処理後データのファイルの存在を確認し、当該ファイルのファイル情報を共有ファイル情報に反映させる監視部を含む第１のサーバと、共有ファイル情報を保持する共有ファイル情報保持部と、共有ファイル情報保持部から読み込みを行う情報読込み部と、共有ファイル情報保持部に書き込みを行う情報書込み部と、ＥＲＰバッチ名を取得して、当該ＥＲＰバッチを起動し、ＥＲＰバッチ結果にもとづいて、共有ファイル情報を更新する実行部とを含む第２のサーバと、から構成されるファイル共有システムにより、達成できる。
【発明の効果】
【００１０】
本発明によれば、ファイル転送エラーを抑圧するファイル共有システムを提供することができる。
【図面の簡単な説明】
【００１１】
【図１】ＥＤＩサーバ、ＥＲＰサーバおよびファイル共有制御システムのブロック図である。
【図２】ＥＤＩ監視のフローチャートである。
【図３】情報読込みのフローチャートである。
【図４】情報書込みのフローチャートである。
【図５Ａ】チェック＆ＪＯＢのフローチャートである（その１）。
【図５Ｂ】チェック＆ＪＯＢのフローチャートである（その２）。
【図６】システム設定情報を説明する図である。
【図７】共有ファイル情報の遷移を説明する図である。
【図８】処理制御情報の遷移を説明する図である。
【図９】プログラム間引渡し情報を説明する図である。
【発明を実施するための形態】
【００１２】
以下、本発明の実施の形態について、図面を参照しながら詳細に説明する。
図１を参照して、ＥＤＩサーバ、ＥＲＰサーバおよびファイル共有制御システムを説明する。図１において、ＥＤＩサーバ１００は、ＥＤＩ監視部１１０と、ＥＤＩパッケージ１２０とから構成されている。ＥＲＰサーバ２００は、情報読み込み部２１０と、情報書き込み部２２０と、チェック＆ＪＯＢ実行部２３０と、システム設定情報２４０と、共有ファイル情報２５０と、処理制御情報２６０と、ＥＲＰパッケージ２７０とから構成されている。ＥＤＩサーバ１００のＥＤＩパッケージ１２０には、ＷＡＮ３００が接続されている。
【００１３】
ファイル共有制御システム４００は、ＥＤＩサーバ１００のＥＤＩ監視部１１０と、ＥＲＰサーバ２００の情報読み込み部２１０と情報書き込み部２２０とチェック＆ＪＯＢ実行部２３０とシステム設定情報２４０と共有ファイル情報２５０と処理制御情報２６０と、から構成されている。
【００１４】
ＥＤＩ監視部１１０は、ＥＤＩパッケージ１２０の受信処理後データのファイルの存在を確認し、ファイル情報を共有ファイル情報２５０に反映させる。ＥＤＩパッケージ１２０は、外部ＥＤＩ取引先と通信して、ＥＤＩデータの送信およびＥＤＩデータの受信の処理を行う。
【００１５】
情報読み込み部２１０は、ＥＤＩ監視部１１０からの呼び出しにより、共有ファイル情報２５０の読み込みを行う。情報読み込み部２１０は、読み込み結果をＥＤＩ監視部１１０へ渡す。
【００１６】
情報書込み部２２０は、ＥＤＩ監視部からの呼び出しにより、共有ファイル情報２５０への書込みを行う。チェック＆ＪＯＢ実行部２３０は、共有ファイル情報２５０からＥＲＰ側での未処理ファイルの存在を確認する。チェック＆ＪＯＢ実行部２３０は、処理制御情報からＥＲＰバッチ名を取得する。チェック＆ＪＯＢ実行部２３０は、ＥＲＰバッチをキック（起動）する。チェック＆ＪＯＢ実行部２３０は、処理結果にもとづいて、処理制御情報２６０および共有ファイル情報２５０を更新する。
【００１７】
システム設定情報２４０は、システムを動作させる基本設定を保持する。共有ファイル情報２５０は、共有ファイル情報のテーブルで、ＥＤＩ側サーバの受信処理後データの情報と処理結果情報を保持する。処理制御情報２６０は、処理制御情報のテーブルで、ＥＲＰ側のＪＯＢの情報とＪＯＢ結果を保持する。ＥＲＰパッケージ２７０は、受注、生産、出荷、会計等の機能を保有し、ＥＤＩパッケージ１２０からのＥＤＩデータを元にＥＲＰパッケージの受注処理を実行する。また、ＥＲＰパッケージ２７０は、ＥＤＩパッケージ１２０の出荷、請求データをＥＤＩデータとして作成する。ＷＡＮ３００は、ＥＤＩパッケージ１２０が外部と通信するＷＡＮ（インターネット）である。
【００１８】
図２を参照して、ＥＤＩサーバにおけるファイルの存在をチェックし、共有ファイル情報に書込む処理を説明する。図２において、ＥＤＩ監視部１１０は、ＥＤＩ監視処理を定周期で起動する。この周期間隔は、システム設定情報２４０に設定されている。ＥＤＩ監視部１１０は、どのパス、物理ファイルを検索するか、パス情報、物理ファイル情報を入手するために、システム設定情報２４０から設定値を入手し、その設定値を使い情報読込み部２１０と通信を実行する（Ｓ２０２）。ＥＤＩ監視部１１０は、パス情報、物理ファイル情報を情報読み込み部２１０より入手する（Ｓ２０３）。ＥＤＩ監視部１１０は、引き渡し値の有無を判定する（Ｓ２０４）。ステップ２０４で無のとき、ＥＤＩ監視部１１０は、終了する。
【００１９】
ステップ２０４で有のとき、ＥＤＩ監視部１１０は、ステップ２０３で取得したパス情報で当該パス内のファイル情報をＤＩＲコマンドにより入手する（Ｓ２０５）。ＥＤＩ監視部１１０は、ファイルの有無を判定する（Ｓ２０６）。ファイルがないとき、ＥＤＩ監視部１１０は、終了する。
【００２０】
ステップ２０６でファイル情報が存在するとき、ＥＤＩ監視部１１０は、共有ファイル情報を更新する値を設定する（Ｓ２０７）。ステップ２０７の具体的な内容は、作成日：ファイル作成日、作成時刻：ファイル作成時刻、処理済フラグ：”Ｎ”、処理結果ステータス：””、処理日：””、処理時刻：””である。ＥＤＩ監視部１１０は、情報書込み部２２０と通信を実行し（Ｓ２０８）、共有ファイル情報２５０に書込む。
【００２１】
ＥＤＩ監視部１１０は、情報書込み部２２０より書込みの処理結果ステータスを入手する（Ｓ２０９）。ＥＤＩ監視部１１０は、エラーの有無を判定する（Ｓ２１０）。エラー無のとき、ＥＤＩ監視部１１０は、終了する。ステップ２１０で処理結果ステータスでエラーがあったとき、ＥＤＩ監視部１１０は、処理結果ステータスをＬＯＧに出力して（Ｓ２１１）、終了する。
【００２２】
図３を参照して、ＥＲＰサーバの情報読込み部２１０の処理を説明する。なお、このフローは、ＥＤＩ監視部１１０からＥＲＰサーバの情報読込み部２１０が呼び出されて開始される。情報読み込み部２１０は、ＥＤＩ監視部１１０からの引渡値を読む（Ｓ３０１）。情報読み込み部２１０は、引渡値の内容で共有ファイル情報２５０を読み込む（Ｓ３０２）。情報読み込み部２１０は、共有情報ファイルの有無を判定する（Ｓ３０３）。共有情報ファイルがあったとき、情報読み込み部２１０は、共有ファイル情報の内容（チェック対象のパス名、物理ファイル名）を引渡値に設定する（Ｓ３０４）。
【００２３】
ステップ３０３で共有ファイル情報に該当が無い場合、情報読み込み部２１０は、引渡値に空をセットする（Ｓ３０５）。ステップ３０４またはステップ３０５のあと、情報読み込み部２１０は、引渡値をＥＤＩ監視部１１０に返信して（Ｓ３０６）、終了する。
【００２４】
図４を参照して、ＥＲＰサーバの情報書込み部２２０の処理を説明する。なお、このフローは、ＥＤＩ監視部１１０からＥＲＰサーバの情報書込み部２２０が呼び出されて開始される。情報書込み部２２０は、ＥＤＩ監視部からの引渡値を読む（Ｓ４０１）。情報書込み部２２０は、引渡値の内容で共有ファイル情報２５０へ書き込む。情報書込み部２２０は、ファイル更新エラーの有無を判定する（Ｓ４０３）。
【００２５】
書込みにエラーが無い場合、情報書込み部２２０は、はステータスにＮｕｌｌをセットする（Ｓ４０４）。ステップ４０３で書込みにエラーが有る場合、情報書込み部２２０は、ステータスにエラーメッセージをセットする（Ｓ４０５）。ステップ４０４またはステップ４０５のあと、情報書込み部２２０は、ステータスを引渡値としてＥＤＩ監視部１１０に返信して（Ｓ４０６）、終了する。
【００２６】
図５を参照して、ＥＲＰサーバのチェック＆ＪＯＢ実行部２３０の処理を説明する。なお、このフローは、定周期で起動される。周期間隔は、システム設定情報２４０に保持されている。チェック＆ＪＯＢ実行部２３０は、共有ファイル情報２５０を読む選択条件をシステム設定情報２４０から設定値を入手する（Ｓ５０１）。チェック＆ＪＯＢ実行部２３０は、ステップ５０１の条件で共有ファイル情報２５０よりＥＲＰサーバ２００で処理する対象のファイル名を入手する（Ｓ５０２）。ここで、条件とは、読込み処理ＪＯＢ＝システム設定値、処理済みフラグ＝”Ｎ”、ログ識別＝””である。
【００２７】
チェック＆ＪＯＢ実行部２３０は、対象ファイルの有無を判定する（Ｓ５０３）。対象ファイルがない場合、チェック＆ＪＯＢ実行部２３０は、終了する。ステップ５０３で対象ファイルがある場合、チェック＆ＪＯＢ実行部２３０は、ファイル名をもとに、処理制御情報２６０から実行するＥＲＰバッチ名を入手する（Ｓ５０４）。ステップ５０４のキーは、具体的には共有ファイルＩＤ＝”ステップ５０２で取得した共有ファイルＩＤ”、処理ＪＯＢ＝”ＥＲＰ”である。
【００２８】
チェック＆ＪＯＢ実行部２３０は、共有ファイル情報２５０のファイル名レコードの処理済フラグを実行中に設定する（Ｓ５０５）。チェック＆ＪＯＢ実行部２３０は、ＥＲＰバッチ名からＥＲＰバッチをキックする。チェック＆ＪＯＢ実行部２３０は、ＥＲＰバッチの処理結果ログをログファイルが吐き出されるまで定周期で監視する（Ｓ５０７−Ｓ５０８）。なお、ログファイルは、ステップ５０２で入手したフォルダーに吐き出される。
【００２９】
チェック＆ＪＯＢ実行部２３０は、ＥＲＰバッチの処理結果ログのエラー有無を判定する（Ｓ５０９）。ＥＲＰバッチの処理結果ログにエラーが無い場合、チェック＆ＪＯＢ実行部２３０は、処理済フラグを”Ｙ”に処理結果ステータスを”Ｙ”にして、処理制御情報２６０を更新する（Ｓ５１０）。チェック＆ＪＯＢ実行部２３０は、処理済フラグを”Ｙ”に処理結果ステータスを”Ｙ”にして、共有ファイル情報２５０を更新する。
【００３０】
ステップ５０９でＥＲＰバッチの処理結果ログにエラーが有る場合、チェック＆ＪＯＢ実行部２３０は、処理済フラグを”Ｙ”に処理結果ステータスを”Ｎ”にして、処理制御情報２６０を更新する（Ｓ５１２）。チェック＆ＪＯＢ実行部２３０は、処理済フラグを”Ｙ”に処理結果ステータスを”Ｎ”にして、共有ファイル情報２５０を更新する（Ｓ５１３）。ここで、処理済フラグおよび処理結果ステータスの”Ｙ”は、Yesである。処理済フラグの”Ｎ”は、Not yetである。処理結果ステータスの”Ｎ”は、Noである。
【００３１】
ステップ５１１またはステップ５１３のあと、チェック＆ＪＯＢ実行部２３０は、共有ファイル情報２５０に、処理したレコードの［定義］に相当するデータ項目部分のレコードを追加する（Ｓ５１４）。チェック＆ＪＯＢ実行部２３０は、処理制御情報２６０に、処理したレコードの［定義］に相当するデータ項目部分のレコードを追加する（Ｓ５１５）。チェック＆ＪＯＢ実行部２３０は、対象ファイルに残りがあるか判定する（Ｓ５１６）。有のとき、チェック＆ＪＯＢ実行部２３０は、ステップ５０３に遷移する。ステップ５１６で無のとき、チェック＆ＪＯＢ実行部２３０は、終了する。
【００３２】
図６を参照して、システム設定情報を説明する。図６において、システム設定情報２４０は、システム設定項目名２４１と、内容２４２と、設定値２４３とから構成されている。ＥＤＩ＿ＳＶ＿ＮＡＭＥは、ＥＤＩのサーバ名称である。ＥＲＰ＿ＳＶ＿ＮＡＭＥは、ＥＲＰのサーバ名称である。ＥＤＩ＿ＰＧ＿ＮＡＭＥは、ＥＤＩ監視機能のプログラム名称である。ＲＥＡＤ＿ＰＧ＿ＮＡＭＥ情報読込み機能のプログラム名称である。ＷＲＩＴＥ＿ＰＧ＿ＮＡＭＥは、情報書出し機能のプログラム名称である。ＣＨＥＣＫ＿ＰＧ＿ＮＡＭＥは、チェック機能のプログラム名称である。ＪＯＢ＿ＰＧ＿ＮＡＭＥは、ＪＯＢ実行制御機能のプログラム名称である。ＥＤＩ＿ＡＣＴ＿ＴＩＭＥは、ＥＤＩ監視機能の定周期サイクル（単位：分）である。ＥＤＩ＿ＧＥＴ＿ＰＡＲＭは、情報読込み機能へ渡す変数である。ＥＲＰ＿ＡＣＴ＿ＴＩＭＥは、チェック機能の定周期サイクル（単位：分）である。ＥＲＰ＿ＣＨＫ＿ＰＡＲＭは、ＥＲＰが処理する読込み処理ＪＯＢの変数である。ＬＯＧ＿ＣＨＫ＿ＰＡＲＭは、バッチログを監視する定周期サイクル（単位：分）である。システム設定情報２４０は、システム設定項目と設定値との組から構成されている。
【００３３】
図７を参照して、共有ファイル情報の遷移を説明する。図７において、共有ファイル情報２５０は、データ項目名２５１と、データ値２５２とから構成されている。データ項目名２５１の共有ファイルＩＤは、共有ファイルを識別するユニークなＩＤである。読込み処理ジョブは、読込むのがＥＲＰサーバ２００からかＥＤＩサーバ１００からかである。物理ファイル名は、ＯＳ上での物理ファイル名である。パス名は、ＯＳ上でのパス名である。作成ＪＯＢＩＤは、作成したＪＯＢのＩＤである。作成日時は、共有ファイルの作成日である。作成時刻は、共有ファイルの作成時刻である。処理済フラグは、共有ファイルが読まれたかの処理フラグである。処理結果ステータスは、共有ファイルを読むジョブの実行結果である。処理日は、共有ファイルを読むジョブの処理日である。処理時刻は、共有ファイルを読むジョブの処理時刻である。ログ識別は、ログデータかの識別である。なお、項番１−５は、定義である。一方、項番６−１２は、逐次更新する値である。
【００３４】
共有ファイル情報２５０は、定義登録時には、処理済フラグ＝””であり、ＥＤＩパッケージからファイルの作成時には、処理済フラグ＝”Ｎ”であり、ＥＲＰ側ＪＯＢ実行中には、処理済フラグ＝”Ｐ”であり、ＥＲＰ側ＪＯＢの正常終了時には、処理済フラグ＝”Ｙ”と遷移してゆく。ここで、処理済フラグの””は、nullであり、空きである。処理済フラグの”Ｎ”は、Not yetであり、未済である。”Ｐ”は、Processingであり、処理中である。”Ｙ”は、Yesであり、処理済である。共有ファイル情報２５０は、データ項目名と処理ステップごとのデータ値との組から構成されている。
【００３５】
図８を参照して、処理制御情報の遷移を説明する。図８において、処理制御情報２６０は、データ項目名２６１と、データ値２６２とから構成されている。データ項目名２６１のＥＲＰサーバ名は、ＥＲＰアプリケーションが稼働しているサーバ名またはＩＰアドレスである。ＥＲＰログイン名は、ＥＲＰにログインするユーザＩＤである。処理ジョブは、処理ＪＯＢがＥＲＰ側かＥＤＩ側かである。ＥＲＰバッチ名は、共有ファイルを読み込むＥＲＰのバッチ名である。ＥＲＰバッチ実行予定日は、ＥＲＰバッチを実行する日である。ＥＲＰバッチ実行予定時刻は、ＥＲＰバッチを実行する時刻である。ＥＲＰバッチログフォルダー名は、ＥＲＰバッチのログを格納するフォルダー名である。ＥＲＰバッチログファイル名は、ＥＲＰバッチのログのファイル名である。共有ファイルＩＤは、共有ファイルを識別するユニークなＩＤである。ＥＲＰバッチ処理済フラグは、ＥＲＰバッチ処理済みか未処理かのフラグである。ＥＲＰバッチ処理結果ステータスは、ＥＲＰバッチの実行結果である。ＥＲＰバッチ処理日は、ＥＲＰバッチの処理日である。ＥＲＰバッチ処理時刻は、ＥＲＰバッチの処理時刻である。ログ識別は、ログデータかの識別である。なお、項番１−９は、定義である。一方、項番１０−１４は、逐次更新する値である。
処理制御情報２６０は、定義登録時には、ＥＲＰバッチ処理済フラグ＝””であり、ＥＲＰ側ＪＯＢ情報は、ＥＲＰバッチ処理済フラグ＝”Ｙ”と遷移する。ここで、ＥＲＰバッチ処理済フラグの””は、nullであり、空きを意味する。ＥＲＰバッチ処理済フラグの”Ｙ”は、Yesであり、処理済である。処理制御情報２６０は、データ項目名と複数のＪＯＢ情報との組から構成されている。
【００３６】
図９を参照して、ＥＤＩサーバ、ＥＲＰサーバ間の引き渡し情報を説明する。図９において、（ａ）は、図２のステップ２０２でＥＤＩサーバ１００からＥＲＰサーバ２００へ引き渡される情報である。（ｂ）は、図２のステップ２０３でＥＲＰサーバ２００からＥＤＩサーバ１００へ引き渡される情報である。（ｃ）図２のステップ２０８でＥＤＩサーバ１００からＥＲＰサーバ２００へ引き渡される情報である。（ｄ）は、図２のステップ２０９でＥＲＰサーバ２００からＥＤＩサーバ１００へ引き渡される情報である。
【００３７】
図９（ａ）において、読込み処理ジョブは、共有ファイル情報２５０の読込み処理ＪＯＢの選択条件である。読込み処理ジョブは、ＥＤＩ監視部１１０から情報読込み部２１０へ送信される。
【００３８】
図９（ｂ）において、パス名は、共有ファイル情報２５０に登録されているパス名である。物理ファイル名は、共有ファイル情報２５０に登録されている物理ファイル名である。これらの情報は、情報読込み部２１０からＥＤＩ監視部１１０へ送信される。
【００３９】
図９（ｃ）において、パスは、共有ファイル情報２５０の読込み更新の時のキーである。物理ファイル名は、共有ファイル情報２５０の読込み更新の時のキーである。作成日時は、共有ファイル情報２５０の書込む内容である。作成時刻は、共有ファイル情報２５０の書込む内容である。処理済フラグは、共有ファイル情報２５０の書込む内容である。処理結果ステータスは、共有ファイル情報２５０の書込む内容である。処理日は、共有ファイル情報２５０の書込む内容である。処理時刻は、共有ファイル情報２５０の書込む内容である。これらの情報は、ＥＤＩ監視部１１０から情報書込み部２２０へ送信される。
図９（ｄ）において、ステータスは、共有ファイル情報２５０への書込み結果である。ステータスは、情報書込み部２２０からＥＤＩ監視部１１０へ送信される。
上述した実施例に依れば、ファイル転送エラーを抑圧するファイル共有システムを提供することができる。また、ファイル共有システムは、ファイル転送管理ソフトを必要としない。この結果、ファイル共有システムは、ファイル転送管理ソフトの導入および管理コストを低減できる。
【符号の説明】
【００４０】
１００…ＥＤＩサーバ、１１０…ＥＤＩ監視部、１２０…ＥＤＩパッケージ、２００…ＥＲＰサーバ、２１０…情報読み込み部、２２０…情報書き込み部、２３０…チェック＆実行部、２４０…システム設定情報、２５０…共有ファイル情報、２６０…処理制御情報、２７０…ＥＲＰパッケージ、３００…ＷＡＮ、４００…ファイル共有システム。
【図１】
2014219926.tif 000003
【図２】
2014219926.tif 000004
【図３】
2014219926.tif 000005
【図４】
2014219926.tif 000006
【図５Ａ】
2014219926.tif 000007
【図５Ｂ】
2014219926.tif 000008
【図６】
2014219926.tif 000009
【図７】
2014219926.tif 000010
【図８】
2014219926.tif 000011
【図９】
2014219926.tif 000012